(57)【要約】      （修正有）【課題】材料スチップが切れていない端子が挿入することを阻止する電気コネクタ及びその製造方法の提供。【解決手段】基部１１と、前記基部から前向きに延在し、第１表面１２１及び第２表面を含む舌板１２と、前記基部の後端に形成される収納孔とを有する絶縁性本体と、絶縁部４と、複数の第１端子２１と、複数の第２端子と、前記絶縁性本体に取り付けられるハウジングとを備える。前記舌板の第１表面には、前記複数の第１端子を収納するための複数の第１端子溝１２２が形成される。隣接する二つの第１端子溝の間には壁部１２３が設けられる。前記壁部のうちの少なくとも一つの壁部の後端には、後向きに延在する阻止部１２４が設けられ、前記阻止部が、他の壁部よりも挿入方向後方側に位置し、隣接する二つの端子のカットアウトの間に嵌合される。【選択図】図１０
2017174797.tif 000002
【特許請求の範囲】
【請求項１】
基部と、前記基部から前向きに延在し、第１表面及び第２表面を含む舌板と、前記基部の後端に形成される収納孔と、を有する絶縁性本体と、
絶縁部と、
複数の第１端子と、
複数の第２端子と、
前記絶縁性本体に支持される遮蔽板と、
前記絶縁性本体に取り付けられるハウジングと、
を備え、前記舌板の第１表面には、前記複数の第１端子を収納するための複数の第１端子溝が形成され、前記舌板の第２表面には、前記複数の第２端子を収納するための複数の第２端子溝が形成され、隣接する二つの第１端子溝の間には壁部が設けられ、前記端子モジュールが前記絶縁性本体の前記収納孔に挿入され、前記第１端子が前記舌板の前記第１端子溝に収納され、前記壁部のうちの少なくとも一つの壁部の後端には、後向きに延在する阻止部が設けられ、前記阻止部が、他の壁部よりも挿入方向後方側に位置し、隣接する二つの端子のカットアウトの間に嵌合されることを特徴とする電気コネクタ。
【請求項２】
前記少なくとも一つの壁部は、対称に配置される一対の壁部であり、前記阻止部が一対で設置されることを特徴とする請求項１に記載の電気コネクタ。
【請求項３】
各壁部及び阻止部の後端にはそれぞれ、ガイド部が設けられ、前記ガイド部の両側にはそれぞれ、ガイドのための傾斜面が設けられることを特徴とする請求項１に記載の電気コネクタ。
【請求項４】
各第１端子が第１接触部を有し、各第２端子が第２接触部を有し、前記第１接触部と前記第２接触部とは、前記遮蔽板に向かって折り曲げられる首部を含み、前記第１接触部と前記第２接触部とは、互いに対称に配置されることを特徴とする請求項１に記載の電気コネクタ。
【請求項５】
前記基部には、前記基部を貫通する貫通孔が形成され、前記貫通孔の両側には、凸状部片が設けられ、前記絶縁部が、複数のリブと、前記絶縁部の両側に設けられる一対の突出部と、前記突出部に隣接する凹溝と、を有し、前記リブが前記絶縁性本体の前記収納孔の内壁に当接し、前記突出部が前記絶縁性本体の貫通孔に収納され、前記凸状部片が前記凹溝に収納されることを特徴とする請求項１に記載の電気コネクタ。
【請求項６】
電気コネクタの製造方法であって、
遮蔽板を提供し、インサートモールドによって前記遮蔽板を被覆する絶縁性本体を成型し、前記絶縁性本体が、基部と、前記基部から前向きに延在し、第１表面及び第２表面を含む舌板と、前記基部の後端に形成される収納孔と、を有し、前記舌板の前記第１表面には、複数の第１端子を収納するための複数の第１端子溝が形成され、前記舌板の前記第２表面には、複数の第２端子を収納するための複数の第２端子溝が形成され、隣接する二つの前記第１端子溝の間に複数の壁部を設置し、前記複数の壁部のうちの二つの壁部の後端に、阻止部を設置し、前記阻止部が他の壁部よりも挿入方向後方側に位置する第１ステップと、
前記複数の第２端子を提供し、前記第２端子を前記絶縁性本体の前記第２端子溝に挿入する第２ステップと、
インサートモールドによって、材料スチップを具備する一列の前記第１端子と一体に絶縁部を成型して端子モジュールを形成する第３ステップと、
前記複数の第１端子の間の前記材料スチップを切って、カットアウトを形成する第４ステップと、
前記端子モジュールを前記絶縁性本体の前記収納孔に挿入し、前記第１端子を前記舌板の前記第１端子溝に収納する第５ステップと、
ハウジングを前記端子モジュールに取り付ける第６ステップと、
を備えることを特徴とする電気コネクタの製造方法。
【請求項７】
前記第５ステップで、各阻止部を隣接する二つの前記第１端子の前記カットアウトの間に嵌合することを特徴とする請求項６に記載の電気コネクタの製造方法。
【請求項８】
基部と、前記基部から前向きに延在する舌板と、を有する絶縁性本体と、
複数の端子と、
前記絶縁性本体に固着される遮蔽板と、
前記絶縁性本体に被覆するハウジングと、
を備え、前記舌板には、前記端子を収納する複数の端子溝が形成され、前記舌板には、前記基部に連接される後端部が設けられ、前記後端部には、複数の当接構造が設けられ、各当接構造が、前記端子溝の上方に位置し、前記端子溝と連通するスロットと、前記スロット及び前記端子溝の間に形成されて前記端子に当接する階段部と、を有することを特徴とする電気コネクタ。
【請求項９】
前記階段部が一対で配置され、前記一対の階段部が離間しており、対応する端子の二つのエッジに当接することを特徴とする請求項８に記載の電気コネクタ。
【発明の詳細な説明】
【技術分野】
【０００１】
本発明は、電気コネクタ及びその製造方法に関するものである。
【背景技術】
【０００２】
従来の電気コネクタは、第１端子モジュールと、第２端子モジュールと、内シェルと、外シェルと、を備える。第１端子モジュールが、第１絶縁部と、前記第１絶縁部にインサートモールドによって固定される複数の第１端子と、遮蔽片と、を有する。第１絶縁部が、第１表面及び第２表面を含む舌板を有する。第２表面には、複数の端子溝が形成される。第２端子モジュールが、第２絶縁部と、前記第２絶縁部にインサートモールドによって固定される複数の第２端子と、を有する。第１端子の接触部が舌板の第１表面に露出される。第２端子の接触部が舌板の第２表面に露出される。
【０００３】
前記第１絶縁部の第２表面に形成された端子溝には、第２端子の材料スチップを阻止する阻止構造が配置されておらず、材料スチップを含む第２端子が挿入することを阻止していない。よって、第２端子における誤接続を防止できない。
【先行技術文献】
【特許文献】
【０００４】
【特許文献１】中国実用新案第２０３８５９３２９号公報
【発明の概要】
【発明が解決しようとする課題】
【０００５】
そこで、本発明の目的は、材料スチップが切れていない端子が挿入されることを阻止する電気コネクタ及びその製造方法を提供することにある。
【課題を解決するための手段】
【０００６】
前記目的を達成するために、本発明の電気コネクタは、基部と、前記基部から前向きに延在し、第１表面及び第２表面を含む舌板と、前記基部の後端に形成される収納孔と、を有する絶縁性本体と、絶縁部と、複数の第１端子と、複数の第２端子と、前記絶縁性本体に支持される遮蔽板と、前記絶縁性本体に取り付けられるハウジングと、を備える。前記舌板の第１表面には、前記複数の第１端子を収納するための複数の第１端子溝が形成される。前記舌板の第２表面には、前記複数の第２端子を収納するための複数の第２端子溝が形成される。隣接する二つの第１端子溝の間には壁部が設けられる。前記端子モジュールが前記絶縁性本体の収納孔に挿入される。第１端子が舌板の第１端子溝に収納される。前記壁部のうちの少なくとも一つの壁部の後端には、後向きに延在する阻止部が設けられ、前記阻止部が、他の壁部よりも挿入方向後方側に位置し、隣接する二つの端子のカットアウトの間に嵌合される。なお、前記カットアウトは、絶縁部が複数の第１端子と一体に端子モジュールを成型した後に、複数の第１端子の間の材料スチップを切ることで形成される。
【発明の効果】
【０００７】
従来の技術と比べると、本発明は以下の長所を有する。材料スチップが切れていない端子モジュールが絶縁性本体の収納孔に収納される時、前記阻止部が材料スチップに当接する。材料スチップが切れていない第１端子の挿入を阻止する。生産品の不良率が減少する。
【図面の簡単な説明】
【０００８】
【図１】本発明の電気コネクタの組立斜視図である。
【図２】図１を別の角度から見た組立斜視図である。
【図３】端子モジュールの斜視図である。
【図４】図３を別の角度から見た斜視図である。
【図５】電気コネクタの分解斜視図である。
【図６】図５を別の角度から見た斜視図である。
【図７】図３のＡ−Ａ線に沿って切た断面図である。
【図８】図３のＢで示す部分の拡大図である。
【図９】材料スチップを含む第１端子及び絶縁部の斜視図である。
【図１０】絶縁性本体と、材料スチップを含む第１端子と、絶縁部とを組み立てた断面図である。
【発明を実施するための形態】
【０００９】
図１〜図８に示すように、本発明の電気コネクタ１００は、ＵＳＢ  ＴＹＰＥ  Ｃの規格に適合するソケットコネクタである。
【００１０】
電気コネクタ１００は、絶縁性本体１と、前記絶縁性本体１に固着される複数の端子２と、前記絶縁性本体１に固定される遮蔽板３と、端子２の一部分と一体に成型される絶縁部４と、前記絶縁性本体１を被覆するハウジング５と、を備える。
【００１１】
図１〜図８に示すように、前記絶縁性本体１は、基部１１と、前記基部１１から前向きに延在する舌板１２と、を備える。舌板１２には、端子２を収納する複数の端子溝１２０が形成されている。より具体的に説明すると、前記舌板１２は、第１表面１２１及び第２表面１２７を有しており、前記第１表面１２１には複数の第１端子溝１２２が形成され、且つ、第２表面１２７には複数の第２端子溝１２８が形成される。隣接する二つの第１端子溝１２２の間には壁部１２３が設けられる。複数の前記壁部１２３のうちの、互いに対称的に配置された２つの壁部１２３の後端には、後向きに延在する阻止部１２４が設けられる。２つの前記阻止部１２４は、他の壁部１２３よりも挿入方向における後方側に配置される。各壁部１２３及び阻止部１２４の後端にはそれぞれ、ガイド部１２５が設けられる。前記ガイド部１２５の両側には、前記端子２が対応する第１端子溝１２２に挿入することをガイドする傾斜面１２６を含む。
【００１２】
図８に示すように、前記舌板１２には、前記基部１１に連接される後端部１３０が設けられる。前記後端部１３０には、複数の当接構造１３１が設けられる。各当接構造１３１が、前記端子溝１２０の上方に位置して前記端子溝１２０と連通するスロット１３１１と、前記スロット１３１１及び端子溝１２０の間に形成されて端子２に当接する階段部１３１２と、を有する。一対の前記階段部１３は離間しており、対応する端子２の二つのエッジに当接する。前記基部１１の上表面には、係合溝１１１と、貫通孔１１２と、が形成される。前記基部１１の下表面には、係合溝１１１が形成される。前記貫通孔１１２の両側には、凸状部片１１３が設けられる。前記基部１１の後端には、プレートフォーム１１４と、前記絶縁部４を収納する収納孔１１０が形成される。
【００１３】
図５及び図６に示すように、前記遮蔽板３が絶縁性本体１に固定される。前記遮蔽板３は、前記舌板１２の第１表面１２１及び第２表面１２７の間に配置される支持部３１と、前記支持部３１の後端から下向きに折り曲げられる固定脚３２と、を備える。
【００１４】
前記端子２は、第１端子溝１２２に固定される複数の第１端子２１と、第２端子溝１２８に固定される複数の第２端子２２とを備える。前記遮蔽板３は、第１端子２１及び第２端子２２の間に配置される。
【００１５】
各第１端子２１には、複数の第１端子２１の間の材料スチップを切って、カットアウト２１６が形成される。各第１端子２１は、舌板１２の第１表面１２１から露出される第１接触部２１１と、前記舌板１２に固定される第１固定部２１２と、前記第１固定部２１２から下向きに、後方向きに折り曲げられる第１半田接続部２１３と、を有する。第１接触部２１１と第１固定部２１２とは、平板状に形成される。第１端子２１と絶縁部４とは、一体に成型される。第１固定部２１２は、絶縁部４に固定される。各第２端子は、舌板１２の第２表面１２７から露出される第２接触部２１１と、前記舌板１２に固定される第２固定部２２２と、前記第２固定部２２２から下向きに、後方向きに折り曲げられる第２半田接続部２２３と、を有する。図４〜図６に示すように、第２端子２２は、第２固定部２２２から水平に延在し、前記第２半田接続部２２３から離れる尾部２２４を有する。第２半田接続部２２３及び尾部２２４が、基部１１の後端面から延出する。第１端子２１及び第２端子２２はそれぞれ、第１接触部２１１及び第２接触部２２１の自由端から折り曲げられる首部２３が設けられる。端子２の首部２３が遮蔽板３に向かって折り曲げられる。複数の第１半田接続部２１３と第２半田接続部２２３とは、２列に整列され、面一になる。
【００１６】
図７〜図１０に示すように、前記端子モジュール１０の成型過程で、第１のステップにおいて、一列の下端子２２及び遮蔽板３０を成型する。下端子２２の下連接部２２２の間には、連接ブリッジ２２４が設けられる。最外側の端子（接地端子２２Ｇ）の外側には、第１連接ブリッジ６１が設けられる。第１連接ブリッジ６１には、第１固定孔６１１が形成される。下半田接続部２２３の間には、金属連接片７１が設けられる。遮蔽板３０の前端には、第２固定孔６２１が形成される第２連接ブリッジ６２が連接される。第１連接ブリッジ６１、第２連接ブリッジ６２によって、下端子２２及び遮蔽板３０の外側には、インサートモールドによって、絶縁性ベース５０が一体に成型される。図８及び図９に示すように、絶縁性ベース５０は、上表面５０１及び下表面５０２を有する。下端子２２の下接触部２２１が、絶縁性ベース５０の下表面５０２から露出され、下半田接続部２２３が絶縁性ベース５０の下表面５０２から延出する。上連接部２１２と、下連接部２２２と、遮蔽板３０の主体部３４とは、絶縁性ベース５０に嵌め込まれる。図７〜図９に示すように、前記下端子２２の側片２１４は、前記遮蔽板３０の側方部３２に当接される。
【００１７】
複数の第１接触部２１１と第２接触部２２１とは、互いに上下対称に配置されており、それによって、本発明の電気コネクタ１００が、相手コネクタに対して上下どちら向きでも挿入可能であり、ＵＳＢ  ＴＹＰＥ  Ｃの規格に適合するようになっている。前記第１端子２１及び第２端子２２はそれぞれ、四つの前向きに突出するパワー端子及び八つの信号端子を具備する。両側に配置される二つのパワー端子が接地する。中間に配置される二つのパワー端子が、パワーを提供する。八つの信号端子は、両側に配置される信号端子が高速差分信号端子を有し、中央に配置される二つの低速差分信号端子を有し、制御端子を有する。
【００１８】
図５及び図６に示すように、前記絶縁部４には、複数のリブ４１が設けられる。前記絶縁部４の両端には、複数の突出部４２と、突出部４２の後方に形成される凹溝４３が形成される。
【００１９】
ハウジング５は、上壁５１と、底壁５２と、前記上壁５１及び底壁５２を連接する一対の側壁５３と、を備える。前記上壁５１及び底壁５２にはそれぞれ、内側へ折り曲げられる一対の係合ビーム５５が設けられる。前記上壁５１には、内側へ突出し、相手コネクタに設置されるシェルと接続する複数の接地部５４が設けられる。
【００２０】
電気コネクタ１００の製造方法は、以下のステップを備える。第１ステップで、前記遮蔽板３を提供する。インサートモールドによって、前記遮蔽板３と絶縁性本体１とが一体に成型される。前記舌板１２の第１表面１２１に、前記複数の第１端子２１を収納するための複数の第１端子溝１２２を形成し、前記舌板１２の第２表面１２７に、前記複数の第２端子２２を収納するための複数の第２端子溝１２８を形成する。隣接する二つの第１端子溝１２２の間に一対の壁部１２３を対称に設置する。前記対称の一対の壁部１２３の後端に、後向きに延在する阻止部１２４を設置する。前記阻止部１２４は、別の壁部１２３よりも挿入方向後方側に位置する。
【００２１】
第２ステップで、複数の第２端子２２を提供し、前記第２端子２２を絶縁性本体１の第２端子溝１２８に挿入する。金型が前記尾部２２４を押圧する。尾部２２４がプレートフォーム１１４の下方に隣接する。
【００２２】
第３ステップで、インサートモールドによって、材料スチップ２１５を具備する一列の第１端子２１と一体に絶縁部４を成型して端子モジュールを形成する。
【００２３】
第４ステップで、複数の第１端子２１の間の材料スチップ２１５を切って、カットアウト２１６を形成する。
【００２４】
第５ステップで、前記端子モジュールを前記絶縁性本体１の収納孔１１０に挿入する。第１端子２１を舌板１２の第１端子溝１２２に収納する。この時、前記一対の阻止部１２４は、それぞれ隣接する二つの第１端子２１のカットアウト２１６の間に、即ち材料スチップ２１５が切られる前に設けられる位置に、位置する。これにより、材料スチップ２１５を含む端子モジュールが絶縁性本体１の収納孔１０に挿入されることが阻止される。各第１端子２１の第１固定部２１２の上方のエッジが、二つの階段部１３１２の下表面に当接し、第１端子２１の階段部１３１２によって生じる押圧力が減少される。第１端子２１が移動することを防止でき、第１接触部２１１が上向きに傾斜することを防止できる。前記突出部４２が絶縁性本体１の貫通孔１１２に収納される。前記凸状部片１１３が凹溝４３に収納される。絶縁部４が後方に向かって移動することを防止できる。貫通孔１１２によって、絶縁部４が予定の位置まで到着することを観察できる。リブ４１が絶縁性本体１の収納孔１１０の内壁に当接する。絶縁部４が絶縁性本体１に安定的に固定される。前記絶縁部４の前端が第２端子２２の後端に当接する。前記第２端子２２の後方に向かって移動することを防止できる。
【００２５】
第６のステップで、ハウジング５を絶縁性本体１に取り付ける。係合ビーム５５が絶縁性本体１の二つの係合溝１１１に収納される。
【００２６】
図９及び図１０に示すように、材料スチップ２１５を具備する前記第１端子２１は、安定して容易に絶縁部４と一体に端子モジュールが成型される。前記二つの阻止部１２４が、他の壁部１２３よりも後方側に位置し、隣接する二つの第１端子２１のカットアウト２１６の間の位置に配置される。これにより、材料スチップ２１６が切れていない端子モジュールが絶縁性本体１の収納孔１１０に収納される時、二つの阻止部１２４が材料スチップ２１５に当接し、材料スチップ２１６が切れていない第１端子２１の挿入を阻止する。生産品の不良率が減少する。
【００２７】
本実施形態において、前記複数の壁部１２３の内の二つの壁部１２３の後端には阻止部１２４が設けられる。別の実施形態において、一つの壁部１２３、叉は全部の壁部１２３には、阻止部１２４が設けられる。
【符号の説明】
【００２８】
１００  電気コネクタ
１  絶縁性本体
１１  基部
１１０  収納孔
１１１  係合溝
１１２  貫通孔
１１３  凸状部片
１１４  プレートフォーム
１２  舌板
１２０  端子溝
１２１  第１表面
１２２  上端子溝
１２３  壁部
１２４  阻止部
１２５  ガイド溝
１２６  傾斜面
１２７  第２表面
１２８  下端子溝
１３０  後端部
１３１  当接構造
１３１１  スロット
１３１２  階段部
２  端子
２１  第１端子
２１１  第１接触部
２１２  第１固定部
２１３  第１半田接続部
２１５  材料スチップ
２１６  カットアウト
２２  第２端子
２２１  第２接触部
２２２  第２固定部
２２３  第２半田接続部
２３  首部
２２４  尾部
３  遮蔽板
３１  支持部
３２  固定脚
４  絶縁部
４１  リブ
４２  突出部
４３  凹溝
５  ハウジング
５１  上壁
５２  底壁
５３  側壁
５４  接地部
５５  係合ビーム
【図１】
2017174797.tif 000003
【図２】
2017174797.tif 000004
【図３】
2017174797.tif 000005
【図４】
2017174797.tif 000006
【図５】
2017174797.tif 000007
【図６】
2017174797.tif 000008
【図７】
2017174797.tif 000009
【図８】
2017174797.tif 000010
【図９】
2017174797.tif 000011
【図１０】
2017174797.tif 000012